(57)【要約】      （修正有）【課題】清掃用、消毒用などの溶液の容器ボトルに装着し、手で持ちやすい上、溶液を自動的に噴霧し続けることができる衛生電動噴霧器を提供する。【解決手段】衛生電動噴霧器２０は、本体カバー２１及び電動水ポンプ３０を備える。本体カバーには、電池室２２が内設され、電池室に少なくとも１個の電池３４が設置される。電池室の上方には、起こして開く電池蓋２３が設けられる。本体カバー２１は、ボトルアダプタ２４及びトリガー３６を有し、ボトルアダプタを介して貯液ボトル４０と連結される。電動水ポンプ３０は、駆動モータ３１と結合され、汲水管３２が下方へ延び、汲み取った液体が電動水ポンプの前端に設けたノズル口３３から噴出される。駆動モータ３１は、電池室２２、スイッチ３５とともに電気回路を形成し、トリガー３６を押圧するとスイッチが接続し、駆動モータが作動する。【選択図】図３
0003212421.tif 000002
【実用新案登録請求の範囲】
【請求項１】
本体カバー及び電動水ポンプを備えた衛生電動噴霧器であって、
前記本体カバーは、電池室が内設され、前記電池室には、少なくとも１個の電池が設置され、前記電池室の上方には、起こして開く電池蓋が設けられ、前記本体カバーは、ボトルアダプタ及びトリガーを有し、前記ボトルアダプタを介して貯液ボトルと連結され、
前記電動水ポンプは、駆動モータと結合され、汲水管が下方へ延び、汲み取った液体が前記電動水ポンプの前端に設けたノズル口から噴出され、前記駆動モータは、前記電池室、スイッチとともに電気回路を形成し、前記トリガーを押圧すると前記スイッチが接続し、前記駆動モータが作動することを特徴とする衛生電動噴霧器。
【考案の詳細な説明】
【技術分野】
【０００１】
本考案は、噴霧装置に関するものであり、さらに詳しくは、清掃用、消毒用などの溶液の容器ボトルに装着し、手で持ちやすい上、溶液を自動的に噴霧し続けることができる衛生電動噴霧器に関するものである。
【背景技術】
【０００２】
図１に示すように、従来の噴霧器構造は、噴霧器１１が貯液容器１２に結合されて構成される。噴霧器１１は、水ポンプ機能を備えた手押し式ポンプであり、噴霧器１１の押圧レバー１３を指で繰り返し押圧して水ポンプ機能を得る。貯液容器１２内の液体は、容器の外側へ吸い上げられ、最終的にノズル１４から外側へ霧状に噴出される。そのため、噴霧器１１は、農薬、清掃・消毒液、化粧水、薬剤などをスプレーするために用いられる。
【０００３】
従来の噴霧器は、液体を液化してスプレーするという目的を簡単に達成することができるが、押圧レバーを何度も押圧しなければならなかったため操作が煩雑となり、また、噴霧器を長時間使用すると、指、掌が疲労し、または、手が怪我するなど作業場の問題があり、理想的とは言えなかった。
【考案の概要】
【考案が解決しようとする課題】
【０００４】
従って、本考案の主な課題は、使用者が噴霧器全体を手で握ったり、指でトリガーを継続的に押圧したりしなくとも、１つの押圧動作のみで溶液を継続的に噴出させることが可能な衛生電動噴霧器を提供することにある。
【課題を解決するための手段】
【０００５】
そこで、本考案者は、前記の本考案の課題を解決するため、鋭意検討を重ねた結果、後述のように電動水ポンプを設け、駆動モータと連結することにより、トリガーの押圧により、駆動モータを連続的に作動させることにより、押圧作動を繰り返すことなく、液体の噴霧を連続的に行うことができる点に着目し、かかる知見に基いて本考案に想到するに至った。すなわち本考案の目的は、使用者が噴霧器全体を手で握ったり、指でトリガーを継続的に押圧したりしなくとも、１つの押圧動作のみで溶液を継続的に噴出させることができるため、繰り返し動作により疲労することを防ぎ、清掃、消毒など衛星を保つための作業で噴霧器を長時間使用し、指、掌が疲労したり、手が怪我したりすることを防ぐことができる衛生電動噴霧器を提供することにある。
かくして、本考案の要旨は次の通りである。
本体カバー及び電動水ポンプを備えた衛生電動噴霧器であって、
前記本体カバーは、電池室が内設され、前記電池室には、少なくとも１個の電池が設置され、前記電池室の上方には、起こして開く電池蓋が設けられ、前記本体カバーは、ボトルアダプタ及びトリガーを有し、前記ボトルアダプタを介して貯液ボトルと連結され、
前記電動水ポンプは、駆動モータと結合され、汲水管が下方へ延び、汲み取った液体が前記電動水ポンプの前端に設けたノズル口から噴出され、前記駆動モータは、前記電池室、スイッチとともに電気回路を形成し、前記トリガーを押圧すると前記スイッチが接続し、前記駆動モータが作動することを特徴とする衛生電動噴霧器。
【考案の効果】
【０００６】
本考案は、前記の通りの構成からなり、一つの押圧動作のみで溶液を継続的に噴出させることができるので、手動による噴出のための繰り返し動作を省くことができる。特に、清掃・消毒等の作業を手動により長時間連続して行うことができる。
【図面の簡単な説明】
【０００７】
【図１】図１は、従来の手押し式噴霧器を示す説明図である。
【図２】図２は、本考案の一実施形態に係る衛生電動噴霧器を貯液ボトルに結合した状態を示す説明図である。
【図３】図３は、本考案の一実施形態に係る衛生電動噴霧器を示す説明図である。
【図４】図４は、本考案の一実施形態に係る衛生電動噴霧器の電動水ポンプを示す分解図である。
【考案を実施するための形態】
【０００８】
まず、図２を参照する。図２は、本考案の一実施形態に係る衛生電動噴霧器２０を貯液ボトル４０に結合した状態を示す説明図である。図２に示すように、本考案の一実施形態に係る衛生電動噴霧器２０は、大部分の部品を含む本体カバー２１を有する。本体カバー２１は、基本的な防水機能を有し、下方に設けたボトルアダプタ２４を介し、洗浄溶剤などの液体を受ける貯液ボトル４０上に取り付けられる。実際に使用するときは、貯液ボトル４０の上部を手部で軽く握り、本体カバー２１下方の手当接部２５に手部を当接させて力を加え、指でトリガー３６を押圧すると、電動水ポンプ３０に設けた電気回路を閉じて電動水ポンプ３０が駆動し、貯液ボトル４０内の液体を吸い上げてノズル口３３からスプレーし続ける。
【０００９】
図３を参照する。図３は、本考案の一実施形態に係る衛生電動噴霧器を示す説明図である。図３に示すように、本考案の一実施形態に係る衛生電動噴霧器は、本体カバー２１を含む。本体カバー２１は、電池室２２が内設され、電池が交換し易いように、起こして開く電池蓋２３が上方に設けられている。本体カバー２１の下方に設けられたボトルアダプタ２４は、貯液ボトル４０の瓶口に取り付けられる。勿論、ボトルアダプタ２４の寸法、サイズは、瓶口に対応させて変更してもよいし、手部を当接し易いように、手当接部２５を本体カバー２１から突出させてもよい。
【００１０】
図４を参照する。図４は、本考案の一実施形態に係る衛生電動噴霧器の電動水ポンプを示す分解図である。図４に示すように、本体カバー２１には、水ポンプ作用を備える部品が内設される。本体カバー２１は、電動水ポンプ３０を含む。電動水ポンプ３０は、駆動モータ３１と結合され、駆動モータ３１の旋回作用力を往復式の真空汲水力へ変え、汲水管３２を介して貯液ボトル４０中の液体を汲み上げてから、本体カバー２１前端のノズル口３３から前方へスプレーする。前述した駆動モータ３１の動作原理は、図４に示すように、電池室２２に設置した電池３４と、駆動モータ３１と、スイッチ３５とを電線を介して電気回路が形成され、使用者がトリガー３６を押圧すると、トリガー３６に延設されたステム３６１がスイッチ３５を接続し、完全な電源回路が形成され、駆動モータ３１が作動する。
【００１１】
上述したことから分かるように、本考案の衛生電動噴霧器は、使用者が噴霧器全体を手で握らなくても、１つの押圧動作のみで溶液を継続的に噴出させることができるため、繰り返し動作により疲労することを防ぎ、清掃、消毒など衛生を保つための作業で噴霧器を長時間使用し、指、掌が疲労したり、手が怪我したりすることを防ぐことができる。
【符号の説明】
【００１２】
１１  噴霧器
１２  貯液容器
１３  押圧レバー
１４  ノズル
２０  電動噴霧器     
２１  本体カバー
２２  電池室
２３  電池蓋
２４  ボトルアダプタ
２５  手当接部
３０  電動水ポンプ
３１  駆動モータ
３２  汲水管
３３  ノズル口
３４  電池
３５  スイッチ
３６  トリガー
４０  貯液ボトル
３６１  ステム
【図１】
0003212421.tif 000003
【図２】
0003212421.tif 000004
【図３】
0003212421.tif 000005
【図４】
0003212421.tif 000006